(57)【特許請求の範囲】
【請求項１】
外部からのＡＣ電力の入力を受ける電源用コネクタと、
前記電源用コネクタに入力されたＡＣ電力をＤＣ電力に変換する電源回路と、
上流側機器と接続し前記上流側機器からＤＣ電力の供給を受けるＵＳＢアップストリームと、
パワーセーブ状態であるオフステート状態であって前記ＵＳＢアップストリームによるＤＣ電力供給の場合は、前記電源コネクタと前記電源回路とを遮断し、通常状態であるオンステート状態と前記ＵＳＢアップストリームによるＤＣ電力不供給の少なくとも一方の場合は、前記電源コネクタと前記電源回路とを接続するリレー素子と、
オフステート状態であって前記ＵＳＢアップストリームによるＤＣ電力供給の場合は、後述するＣＰＵに供給するＤＣ電力の供給源を前記ＵＳＢアップストリームからのＤＣ電力供給に切替え、オンステート状態と前記ＵＳＢアップストリームによるＤＣ電力不供給との少なくとも一方の場合は、後述するＣＰＵに供給するＤＣ電力の供給源を前記電源回路に切替える切替スイッチと、
前記切替スイッチからＤＣ電力の供給を受けるＣＰＵと、
を有する液晶ディスプレイ装置。
【発明の詳細な説明】
【０００１】
【発明の属する技術分野】
本発明は液晶ディスプレイ装置に関する。
【０００２】
【従来の技術】
液晶ディスプレイの市場規模は今般飛躍的に増大している。その背景には、従来のＣＲＴディスプレイに比べディスプレイ液晶ディスプレイ装置の特徴である小スペース化、低電力というのが受けいられてきているからである。
【０００３】
一般に、ディスプレイの分野では、ＶＥＳＡ規格等によりパワーセーブ時においては、消費電力の制限がある。この制限は、年々厳しくなっており現在では消費電力５Ｗ以下（以下、オフステート時と記す）という規制がなされている。上記制限を満たす方法として、一般には、パワーセーブ時に２次側負荷のON/OFFにより対応している。
【０００４】
パワーセーブ状態は、入力信号の条件下によって不必要な負荷への電源供給をカットすることにより、省電力化を図るのを目的としている。通常動作状態からパワーセーブ状態への移行およびパワーセーブ状態から通常状態への移行は、入力信号の判別によって行われる。すなわち、パワーセーブ状態では、信号入力状態を判別するマイコン系回路のみ駆動し、他の負荷への電源供給をＯＦＦさせ、省エネ対応を行っている。
【０００５】
このように、ディスプレイの分野においては、高電圧大電流負荷および低電圧小電流負荷での電源効率改善が必要という大きな課題を有している。
【０００６】
上記問題を解決する手段として、高電圧大電流負荷と低電圧小電流負荷をそれぞれ別電源で構成する、いわゆるサブ電源方式と呼ばれる手法が用いられている。
【０００７】
このサブ電源方式では、通常時は高電圧大電流負荷および低電圧小電流負荷をそれぞれ高電圧および低電圧で駆動し、パワーセーブ時などの軽負荷時には高電圧大電流負荷の電源回路をストップし、低電圧小電流負荷の電源回路のみを動作させるため、高負荷時および軽負荷時の双方において高効率化が得られている。しかしながら、ＡＣ−ＤＣ変換する際の電力ロスは多少ながらも生じてしまう。
【０００８】
ところで、近年では、ＰＣに周辺機器を接続するための新しいインターフェイスとしてＵＳＢインターフェイスが普及し始めている。このＵＳＢインターフェイスは、キーボード、マウス等の速い転送速度を要求しない周辺装置をＰＣやディスプレイ装置に接続するときに使用され、ＵＳＢハブと呼ばれる中継装置を使用することにより複数の小電力の周辺機器をツリー状に接続できるという特徴がある。接続は専用ケーブルで行われ、一般に上流側機器を接続するコネクタをアップストリーム、下流側を接続するコネクタをダウンストリームと呼ぶ。なお、ＵＳＢインターフェイスシステムは、ケーブルに含まれる電源線を介して、上流側機器から下流側機器に対して必要な電力を供給することができる。ただし、消費電力はある程度制限される（５Ｖ／５００ｍＡｍａｘ）。
【０００９】
上述したように、下流側機器が上流側機器より電源供給されるには、消費電力の小さなものでなければならない（マウス、キーボードなど）。あるいは、小さくするような工夫をする必要がある（ＦＤＤ等：例えば、特開平１１−３０６５０１号公報参照）。
【００１０】
一般に、ディスプレイ装置は、ＰＣ側から見ると下流側機器となり電源の供給を受けることができるが、上述したように、下流側機器の電力は、必要最小限に規定されていることから、ディスプレイモニタのように大消費電力の機器は、別置きの電源装置を使用せざるを得ない。
【００１１】
【発明が解決しようとする課題】
上記従来技術のように、オフステート時における低電圧小電流負荷の電源供給として専用のＡＣ−ＤＣ変換回路（サブ電源）を設ける方法では、ＡＣ−ＤＣ変換時の電力ロスが生じてしまう。かつ、ＵＳＢアップストリームが接続されており、上流側機器（ＰＣ）から電源が供給されているのを使用しないのは、システムのトータル的な効率が悪い。
【００１２】
本発明は、上記したような液晶ディスプレイ装置等の周辺機器を含めたコンピュータシステム全体の待機時電力の低減を行うものであり、液晶ディスプレイ装置に使用されるＡＣ−ＤＣ変換回路の電力ロスをカットし、待機時における電力の低減を提供する。
【００１３】
【課題を解決するため手段】
上記課題を解決するため本発明の液晶ディスプレイ装置は、ＣＰＵと同期処理回路の電源供給切替スイッチ（ＳＷ）、およびこれらを制御するＣＰＵにて構成され、ＣＰＵと同期処理回路の電源を液晶ディスプレイ装置内の電源供給から、ＵＳＢアップストリームからの電源供給に切替える手段を提供するものである。
【００１４】
また、併して電源回路の一次側を制御するリレー素子を構成し、ＣＰＵによってＵＳＢアップストリームが接続され、かつパワーセーブ（オフステート）時においてリレー素子を遮断することにより一次の商用電源を遮断する手段を提供する。
【００１５】
これらの構成により、オフステート時において、ＣＰＵと同期処理回路の電源をＵＳＢアップストリームから供給し、かつ、電源一次側をカットできるため、液晶ディスプレイ装置の電源回路の無負荷時におけるＡＣ−ＤＣ変換回路の電力ロスを低減できることから、液晶ディスプレ装置を含むコンピュータシステム全体の待機電力の低電力化が図れる。
【００２０】
【発明の実施の形態】
以下に、本発明の液晶ディスプレイ装置の実施の形態について、図１、図２を用いて説明する。
【００２１】
（実施の形態１）
図１は、本発明の実施例を示す図である。図１に示すようにこの実施の形態例の液晶ディスプレイ装置１は、商用電源用コネクタ２、ＵＳＢアップストリーム３、ＵＳＢダウンストリーム４、リレー素子５、電源回路６、ＵＳＢハブ７、ＣＰＵ８、ＣＰＵ／同期処理回路用電源供給切替ＳＷ９、各回路電源供給制御ＳＷ１０、インバータ回路１１、信号処理回路１２、パネルモジュール１３、同期処理回路１４、入力信号用コネクタ１５で構成される。
【００２２】
リレー素子５は、ＵＳＢアップストリーム３の供給電源によりリレー素子５が遮断されるよう設計される。すなわち、ＵＳＢアップストリーム３が接続されていないときには必ず導通状態になるようになる。なお、リレー素子５は、ＵＳＢアップストリーム３の供給電源と、ＣＰＵ８からの制御信号１７とのＯＲ信号で制御される。
【００２３】
また、ＣＰＵ／同期処理回路用電源供給切替ＳＷ９は、ＵＳＢアップストリーム３の供給電源によりｂ側になるよう設計される。すなわち、ＵＳＢアップストリーム３が接続されていないときには必ずａ側になる。なお、リレー素子５は、ＵＳＢアップストリーム３の供給電源と、ＣＰＵ８からの制御信号１８とのＯＲ信号で制御される。これらにより、ＵＳＢアップストリーム３が接続されていないときでも、必ずＣＰＵ／同期処理回路には電源が供給されることになる。
【００２４】
オンステート状態では、リレー素子５は導通状態、各回路電源供給制御ＳＷ１０は導通状態、ＣＰＵ／同期処理回路用電源供給切替ＳＷ９はａ側に設定され、設定はＣＰＵ８によって行われる。
【００２５】
オフステート状態になると、まず各回路電源供給制御ＳＷ１０をＣＰＵ８により遮断状態にする。ＵＳＢアップストリーム３が接続されてない場合、リレー素子５は導通状態、ＣＰＵ／同期処理回路用電源供給切替ＳＷ９はａ側に設定される。この場合、ＣＰＵ８／同期処理回路１４は、液晶ディスプレイ装置内の電源回路6から行われていることになる。ＵＳＢアップストリーム３が接続されている場合、リレー素子５は遮断状態、ＣＰＵ／同期処理回路用電源供給切替ＳＷ９はｂ側に設定される。すなわち、ＣＰＵ８／同期処理回路１４は、ＵＳＢアップストリームから供給され、液晶ディスプレイ装置内の電源回路は一次側が完全に遮断された状態となる。
【００２６】
オフステートからオンステートへの復帰は、ＵＳＢアップストリーム３が接続されている場合、まずリレー素子５を導通状態にし、次に、ＣＰＵ／同期処理回路用電源供給切替ＳＷ９をａ側に設定するようＣＰＵ８にて制御する。最後に、各回路電源供給制御ＳＷ１０を導通状態にする。ＵＳＢアップストリーム３が接続されていない場合は、各回路電源供給制御ＳＷ１０を導通状態にするようＣＰＵ８にて制御する（各状態におけるＳＷの状態は図２参照）。
【００２７】
【発明の効果】
以上のように、本発明の液晶ディスプレイ装置によれば、ＣＰＵと同期処理回路の電源供給切替ＳＷ、および電源回路の一次側を制御するリレー素子を構成し、ＣＰＵと同期処理回路の電源を液晶ディスプレイ装置内の電源供給から、ＵＳＢアップストリームの電源供給に切替えかつ一次側の商用電源を遮断することにより、液晶ディスプレイ装置の電源回路の無負荷時におけるＡＣ−ＤＣ変換回路の電力ロスを低減できることから、液晶ディスプレ装置を含むコンピュータシステム全体の待機電力の低電力化が図れる。
【図面の簡単な説明】
【図１】本発明の液晶ディスプレイ装置の一実施の形態例を示す図
【図２】同液晶ディスプレイ装置の各スイッチ（ＳＷ）の状態の例を示す図
【符号の説明】
１  液晶ディスプレイ装置
２  商用電源用コネクタ
３  ＵＳＢアップストリーム
４  ＵＳＢダウンストリーム
５  リレー素子
６  電源回路
７  ＵＳＢハブ
８  ＣＰＵ
９  ＣＰＵ／同期処理回路用電源供給切替ＳＷ
１０  各回路電源供給制御ＳＷ
１１  インバータ回路
１２  信号処理回路
１３  パネルモジュール
１４  同期処理回路
１５  入力信号用コネクタ
１６  各回路電源供給制御ＳＷ制御ライン
１７  リレー素子制御ライン
１８  ＣＰＵ／同期処理回路用電源供給切替ＳＷ制御ライン
【図１】
0004622044.tif 000002
【図２】
0004622044.tif 000003